(57)【要約】【課題】形成される塗膜の厚みや幅を一定にすることができるとともに、塗膜の幅を大きくできるドクターブレード装置を提供する。【解決手段】塗膜形成用のステージ１と、両側に一対の側板が取着されているブレード４とを備え、ブレード４をステージ１上に所定の間隙をあけて配置させた上、ブレード４と一対の側板３とで囲まれる領域に上方より液状の塗布材２を供給しつつ、供給領域側へブレード４を移動させることによってステージ１の上面に間隙に対応した厚みを有する塗膜１２を形成するようにしたドクターブレード装置１０であって、ブレード４の下端部近傍における一対の側板３間の間隔ｗを、ブレード４より移動方向下流側の領域で、下方に向かって漸次広くなる。【選択図】図１
2005238664.tif 000002
【特許請求の範囲】
【請求項１】
塗膜形成用のステージと、両側に一対の側板が取着されているブレードとを備え、
前記ブレードをステージ上に所定の間隙をあけて配置させた上、前記ブレードと一対の側板とで囲まれる領域に上方より液状の塗布材を供給しつつ、該供給領域側へ前記ブレードを移動させることによって前記ステージの上面に前記間隙に対応した厚みを有する塗膜を形成するようにしたドクターブレード装置であって、
前記ブレードの下端部近傍における一対の側板間の間隔を、前記ブレードより移動方向下流側の領域で、下方に向かって漸次広くなることを特徴とするドクターブレード装置。
【発明の詳細な説明】
【技術分野】
【０００１】
本発明は、ドクターブレード装置に関するものである。
【背景技術】
【０００２】
代表的なドクターブレード装置として、セラミックスラリ（塗布材）を塗布してセラミックグリーンシート（塗膜）を形成するためのドクターブレード装置について述べる。
【０００３】
図３は、従来のドクターブレード装置を示す図である。
【０００４】
図によれば、ドクターブレード装置３０は、塗膜形成用のステージ３１と、両側に一対の側板が取着されているブレード３４とを備え、ブレード３４をステージ３１上に所定の間隙をあけて配置させた上、ブレード３４と一対の側板３３とで囲まれる領域に上方よりセラミックスラリ（液状の塗布材）３２を供給する。また、セラミックスラリ３２は、供給部（図示せず）から連続的に供給され、一対の側板３３、ブレード３４、シャッター３５により保持される。さらに、ステージ３１上に落下する量は、シャッター３５により調節される。
【０００５】
すなわち、セラミックスラリ３２がステージ３１上に落下し、この後供給領域側へブレード３４を移動させることによって、セラミックスラリ３２がかきとられ、ステージ３１の上面に間隙に対応した厚み（ブレード３４−ステージ３１間距離と略同一）となる。また、一対の側板３３により、セラミックスラリ３２の幅方向への流出が防止されるため、セラミックスラリ３２の幅は一定（一対の側板３３間距離と略同一）となる。そして、セラミックスラリ３２を乾燥することにより、セラミックグリーンシート（塗膜）４２が得られる。（特許文献１乃至３参照）
【特許文献１】特開平０４−３６１００１号公報  （２−３頁、図１−３）
【特許文献２】特開平０５−０３１４３１号公報  （３頁、図１−３）
【特許文献３】特開平０６−２９０９８６号公報  （２頁、図５）
【発明の開示】
【発明が解決しようとする課題】
【０００６】
しかしながら、上記ドクターブレード３０によれば、図３（ａ）に示すように、セラミックスラリ３２の一部が表面張力により側板３３の内壁に付着することがある。このため、セラミックグリーンシート４２を形成する途中で、上記表面張力にバラツキが生じた場合、上記セラミックスラリ３２が上記内壁に付着する量にバラツキが生じることから、ステージ３１上にセラミックスラリ３２が付着する量にバラツキが生じ、場所によって形成されるセラミックグリーンシート４２の厚みや幅にバラツキが生じるという問題点があった。さらに、この厚みや幅にバラツキが生じた部分を廃棄する必要があることなどから、形成されるセラミックグリーンシート４２の幅を大きくできないという問題点があった。
【０００７】
本発明は、上述の問題点に鑑みてなされたもので、その目的は、形成される塗膜の厚みや幅を一定にすることができるとともに、塗膜の幅を大きくできるドクターブレード装置を提供することにある。
【課題を解決するための手段】
【０００８】
本発明は、膜形成用のステージと、両側に一対の側板が取着されているブレードとを備え、前記ブレードをステージ上に所定の間隙をあけて配置させた上、前記ブレードと一対の側板とで囲まれる領域に上方より液状の塗布材を供給しつつ、該供給領域側へ前記ブレードを移動させることによって前記ステージの上面に前記間隙に対応した厚みを有する塗膜を形成するようにしたドクターブレード装置であって、前記ブレードの下端部近傍における一対の側板間の間隔を、前記ブレードより移動方向下流側の領域で、下方に向かって漸次広くなることを特徴とするものである。
【発明の効果】
【０００９】
本発明によれば、ブレードの下端部近傍における一対の側板間の間隔が、ブレードより移動方向下流側の領域で、下方に向かって漸次広くなるため、塗布材の一部が表面張力により側板の内壁に付着することを抑制できる。すなわち、塗膜を形成する途中で、場所によって上記塗布材が上記内壁に付着する量にバラツキが生じることを抑制できるため、ステージ上に付着する塗布材の量のバラツキを抑制して形成される塗膜の厚みや幅を一定にすることができる。また、この厚みや幅にバラツキが生じた部分を廃棄する必要が不要になるため、形成される塗膜の幅を比較的大きくすることができる。
【発明を実施するための最良の形態】
【００１０】
以下、本発明を図面に基づいて説明する。
【００１１】
代表的なドクターブレード装置として、セラミックスラリ（塗布材）を塗布してセラミックグリーンシート（塗膜）を形成するためのドクターブレード装置について述べる。
【００１２】
図１は、本発明のドクターブレード装置を示す図であり、（ａ）はセラミックグリーンシートの長さ方向における断面図、（ｂ）はセラミックグリーンシートの幅方向における断面図である。図２は、本発明のドクターブレード装置における側板形状を示す部分拡大図である。
【００１３】
図によれば、ドクターブレード装置１０は、塗膜形成用のステージ１と、両側に一対の側板が取着されているブレード４とを備え、ブレード４をステージ１上に所定の間隙をあけて配置させた上、ブレード４と一対の側板３とで囲まれる領域に上方よりセラミックスラリ（液状の塗布材）２を供給する。また、セラミックスラリ２は、供給部（図示せず）から連続的に供給され、一対の側板３、ブレード４、シャッター５により保持される。さらに、ステージ３１上に落下する量は、シャッター５により調節される。側板３、ブレード４、シャッター５の材質としては、変形に耐え得る点からＳＵＳが好ましいが、ブレード４の先端のみは、変形せずセラミックグリーンシート（塗膜）１２厚みが一定になるように、超硬金属が好ましい。
【００１４】
すなわち、セラミックスラリ２がステージ１上に落下し、この後供給領域側へブレード４を移動させることによって、セラミックスラリ２がかきとられ、ステージ１の上面に間隙に対応した厚み（ブレード４−ステージ１間距離と略同一）となる。また、一対の側板３により、セラミックスラリ２の幅方向への流出が防止されるため、セラミックスラリ２の幅は一定（一対の側板３間距離と略同一）となる。そして、セラミックスラリ２を乾燥することにより、セラミックグリーン（塗膜）１２が得られる。
【００１５】
本発明の特徴的なことは、ブレード４の下端部近傍における一対の側板３間の間隔ｗを、ブレード４より移動方向下流側の領域で、下方に向かって漸次広くなることである。
【００１６】
このため、ブレード４の下端部近傍における一対の側板３間の間隔が、ブレード４より移動方向下流側の領域で、下方に向かって漸次広くなるため、セラミックスラリ２の一部が表面張力により側板３の内壁に付着することを抑制できる。すなわち、セラミックグリーンシート１２を形成する途中で、場所によって上記セラミックスラリ２が上記側板３の内壁に付着する量にバラツキが生じることを抑制できるため、ステージ１上にセラミックスラリ２が付着する量にバラツキが生じることを抑制でき、形成されるセラミックグリーンシート１２の厚みや幅を一定にすることができる。また、この厚みや幅にバラツキが生じた部分を廃棄する必要が不要になるため、形成されるセラミックグリーンシート１２の幅を大きくできる。
【００１７】
なお、本発明は上述の実施形態に限定されるものではなく、本発明の要旨を逸脱しない範囲内での種々の変更や改良などは何ら差し支えない。
【００１８】
例えば、上記実施の形態では、本発明をセラミックスラリ２を塗布してセラミックグリーンシート１２を形成するためのドクターブレード装置１０に適用した例を用いて説明したが、本発明は、樹脂を塗布して樹脂膜を形成するためのドクターブレード装置など、さまざまな塗布材・塗膜に適用できる。
【００１９】
また、一対の側板３間の間隔ｗが下方に向かって漸次広くなっている部分の表面に離型剤を塗布するようにしても良い。このことにより、上記セラミックスラリ２の一部が側板３の内壁に付着することをより効果的に抑制できる。ここで、離型剤としては、シリコンオイルなどが用いられる。
【００２０】
さらに、図２に示すように、切欠部３ａの形状は、（ａ）平面状、（ｂ）曲面凸状、（ｃ）ブレード４の面方向の他、セラミックスラリ２の供給領域側にも切欠く形状にしても良い。
【図面の簡単な説明】
【００２１】
【図１】本発明のドクターブレード装置を示す図であり、（ａ）はセラミックグリーンシートの長さ方向における断面図、（ｂ）はセラミックグリーンシートの幅方向における断面図である。
【図２】本発明のドクターブレード装置における側板形状を示す部分拡大図であり、（ａ）平面状、（ｂ）曲面凸状、（ｃ）内壁の他ブレードの相対的な移動方向にも切欠く形状である。
【図３】従来のドクターブレード装置を示す図であり、（ａ）はセラミックグリーンシートの幅方向における断面図、（ｂ）は（ａ）の製造装置により形成されたセラミックグリーンシートの平面図、（ｃ）は（ａ）の製造装置により形成されたセラミックグリーンシートの断面図である。
【符号の説明】
【００２２】
１０・・・・ドクターブレード装置
１・・・・・ステージ
２・・・・・セラミックスラリ（塗布材）
３・・・・・側板
４・・・・・ブレード
５・・・・・シャッター
１２・・・・セラミックグリーンシート
ｗ・・・・・間隔
【図１】
2005238664.tif 000003
【図２】
2005238664.tif 000004
【図３】
2005238664.tif 000005